(57)【要約】      （修正有）【課題】設定値を所望の記憶領域に保存する。【解決手段】画像形成装置１００に接続され、かつ、画像形成装置１００に対する操作を受け付ける操作装置を有する画像形成装置１００は、画像形成装置１００又は操作装置が用いる設定値を記憶する第１記憶部ＦＮ１と、設定値に対する書き込み又は読み出しの操作を受け付ける設定部ＦＮ２と、設定値に対する処理の種類を判定する判定部ＦＮ３と、判定に基づいて、設定値を暗号化して第１記憶部ＦＮ１に記憶させる、設定値を第２記憶部ＦＮ４に書き込むか又は設定値を第２記憶部ＦＮ４から読み出す処理を行うアプリケーション部ＦＮ５と、を備える。【選択図】図８
2020135247.tif 000002
【特許請求の範囲】
【請求項１】
画像形成装置に接続され、かつ、前記画像形成装置に対する操作を受け付ける操作装置を有する画像形成装置であって、
前記画像形成装置又は前記操作装置が用いる設定値を記憶する第１記憶部と、
前記設定値に対する書き込み又は読み出しの操作を受け付ける設定部と、
前記設定値に対する処理の種類を判定する判定部と、
前記判定に基づいて、前記設定値を暗号化して前記第１記憶部に記憶させる、前記設定値を第２記憶部に書き込み、又は、前記設定値を前記第２記憶部から読み出す前記処理を行うアプリケーション部と
を備える
画像形成装置。
【請求項２】
前記判定部は、
前記設定値の記憶先を前記第２記憶部とするように判定し、
前記アプリケーション部は、
前記設定値を前記第２記憶部に書き込み、及び、前記設定値を前記第２記憶部から読み出し、
前記第２記憶部は、
セキュアな記憶領域である
請求項１に記載の画像形成装置。
【請求項３】
前記判定部は、
前記設定値を暗号化するか否かを判定し、
前記アプリケーション部は、
前記設定値を暗号化した暗号化設定値を前記第１記憶部に書き込み、
前記暗号化設定値を前記第１記憶部から読み出して復号化する
請求項１に記載の画像形成装置。
【請求項４】
前記判定部は、
前記設定値の記憶先を前記第２記憶部とするように判定し、
前記アプリケーション部は、
前記設定値を前記第２記憶部に書き込み、及び、前記設定値を前記第２記憶部から読み出し、
前記第２記憶部は、
ＯＳが参照する参照領域である
請求項１に記載の画像形成装置。
【請求項５】
前記アプリケーション部は、
前記ＯＳを介して前記設定値を書き込み、又は、前記設定値を読み出す処理を行う
請求項４に記載の画像形成装置。
【請求項６】
前記第１記憶部は、
書き込み回数制限のある記憶領域であり、
前記アプリケーション部は、
前記設定値を前記第２記憶部に書き込み、
所定の条件を満たす場合には、前記設定値を前記第１記憶部に書き込む
請求項１に記載の画像形成装置。
【請求項７】
前記第１記憶部は、
ＯＳ又は複数のアプリケーションが共通して用いる記憶領域である
請求項１乃至６のいずれか１項に記載の画像形成装置。
【請求項８】
画像形成装置に接続され、かつ、前記画像形成装置に対する操作を受け付ける操作装置を有する画像形成装置が行う情報処理方法であって、
画像形成装置が、前記画像形成装置又は前記操作装置が用いる設定値を記憶する第１記憶部に記憶する記憶手順と、
画像形成装置が、前記設定値に対する書き込み又は読み出しの操作を受け付ける設定手順と、
画像形成装置が、前記操作に基づいて、前記設定値を暗号化して前記第１記憶部に記憶させる、前記設定値を第２記憶部に書き込み、又は、前記設定値を前記第２記憶部から読み出すアプリケーション手順と
を含む
情報処理方法。
【請求項９】
請求項８に記載の情報処理方法をコンピュータに実行させるためのプログラム。
【発明の詳細な説明】
【技術分野】
【０００１】
本発明は、画像形成装置、情報処理方法及びプログラムに関する。
【背景技術】
【０００２】
近年、画像形成装置には、スキャン及びコピー等の様々な機能が搭載されている。このような画像形成装置では、スキャン及びコピー等のあらかじめ搭載されている機能を実行するために必要な設定値を入力できるように、設定値の入力画面を構成するようシステムプログラムが作成されていた。従来、このような画像形成装置では、新たな機能を追加しようとしてアプリケーションプログラム等の追加プログラムを開発してインストールした際に、その追加した機能の実行に新たな設定値の入力が必要となる場合、その追加した機能を実行するための設定値を入力できるようシステムプログラムを変更する必要がある。
【０００３】
例えば、新しい設定値を必要とするアプリケーションプログラム等の追加プログラムが新たにインストールされた場合でも、システムプログラムの変更を必要としないように、システムプログラムと動的に連携可能に構成され、追加機能の実行に必要な設定値を入力するための情報が記述されたプラグインプログラムは従来から知られている（例えば特許文献１参照）。
【発明の概要】
【発明が解決しようとする課題】
【０００４】
しかしながら、従来の方法では、各アプリケーション又はＯＳ（Ｏｐｅｒａｔｉｎｇ  Ｓｙｓｔｅｍ）等が用いる設定値は、設定値を記憶する記憶領域（以下「記憶先」という。）が定まっている場合が多い。そのため、様々な目的又は用途に合わせて、設定値を所望の記憶領域に保存できない場合がある。
【０００５】
本発明の一態様は、設定値を所望の記憶領域に保存することを目的とする。
【課題を解決するための手段】
【０００６】
本発明の一実施形態による、画像形成装置に接続され、かつ、前記画像形成装置に対する操作を受け付ける操作装置を有する画像形成装置は、
画像形成装置に接続され、かつ、前記画像形成装置に対する操作を受け付ける操作装置を有する画像形成装置であって、
前記画像形成装置又は前記操作装置が用いる設定値を記憶する第１記憶部と、
前記設定値に対する書き込み又は読み出しの操作を受け付ける設定部と、
前記設定値に対する処理の種類を判定する判定部と、
前記判定に基づいて、前記設定値を暗号化して前記第１記憶部に記憶させる、前記設定値を第２記憶部に書き込み、又は、前記設定値を前記第２記憶部から読み出す前記処理を行うアプリケーション部と
を備えることを特徴とする。
【発明の効果】
【０００７】
本発明の実施形態によって、設定値を所望の記憶領域に保存できる。
【図面の簡単な説明】
【０００８】
【図１】画像形成装置の全体構成例を示す概要図である。
【図２】操作装置及び本体部のハードウェア構成例を示すブロック図である。
【図３】操作装置の外観例を示す概要図である。
【図４】操作装置及び本体部のソフトウェア構成例を示すブロック図である。
【図５】データ構成及びアプリケーション構成例を示すブロック図である。
【図６】設定画面の遷移例を示す図である。
【図７】全体処理の例を示すシーケンス図である。
【図８】画像形成装置の機能構成例を示す機能ブロック図である。
【図９】第２実施形態における全体処理の例を示すシーケンス図である。
【図１０】第３実施形態におけるデータ構成及びアプリケーション構成例を示すブロック図である。
【図１１】第３実施形態における全体処理の例を示すシーケンス図である。
【図１２】第３実施形態における画像形成装置の機能構成例を示す機能ブロック図である。
【図１３】第４実施形態におけるデータ構成及びアプリケーション構成例を示すブロック図である。
【図１４】第４実施形態における設定画面の遷移例を示す図である。
【図１５】第４実施形態における全体処理の例を示すシーケンス図である。
【図１６】第４実施形態における画像形成装置の機能構成例を示す機能ブロック図である。
【図１７】第５実施形態におけるデータ構成及びアプリケーション構成例を示すブロック図である。
【図１８】第５実施形態における全体処理の例を示すシーケンス図である。
【図１９】第６実施形態におけるデータ構成及びアプリケーション構成例を示すブロック図である。
【図２０】第６実施形態における設定画面の遷移例を示す図である。
【図２１】第６実施形態における全体処理の例を示すシーケンス図である。
【図２２】第６実施形態における画像形成装置の機能構成例を示す機能ブロック図である。
【図２３】第７実施形態におけるデータ構成及びアプリケーション構成例を示すブロック図である。
【図２４】第７実施形態における全体処理の例を示すシーケンス図である。
【発明を実施するための形態】
【０００９】
以下、発明を実施するための最適な形態について、図面を参照して説明する。
【００１０】
＜第１実施形態＞
＜画像形成装置例＞
図１は、画像形成装置の全体構成例を示す概要図である。図示するように、画像形成装置１００は、例えば、ＭＦＰ（Ｍｕｌｔｉｆｕｎｃｔｉｏｎ  Ｐｅｒｉｐｈｅｒａｌ）等である。そのため、例えば、画像形成装置１００は、コピー機能、スキャナ機能、ファクシミリ機能及びプリンタ機能等の画像処理機能を有する。なお、画像形成装置１００は、他に機能（例えば、エラー表示機能等である。）を更に有してもよい。
【００１１】
この例では、画像形成装置１００は、操作装置１１０を有する構成である。一方で、画像形成装置１００は、操作装置１１０以外の構成（以下「本体部１２０」という。）を有する構成である。
【００１２】
操作装置１１０に対して、ユーザは、画像形成装置１００に対する様々な操作を入力する。そして、画像形成装置１００は、操作装置１１０及び本体部１２０により、操作に基づいた画像処理を実行する。
【００１３】
＜ハードウェア構成例＞
図２は、操作装置及び本体部のハードウェア構成例を示すブロック図である。まず、操作装置１１０は、例えば、ＣＰＵ（Ｃｅｎｔｒａｌ  Ｐｒｏｃｅｓｓｉｎｇ  Ｕｎｉｔ、以下「ＣＰＵ２１１」という。）、ＲＯＭ（Ｒｅａｄ−Ｏｎｌｙ  Ｍｅｍｏｒｙ、以下「ＲＯＭ２１２」という。）、ＲＡＭ（Ｒａｎｄｏｍ  Ａｃｃｅｓｓ  Ｍｅｍｏｒｙ、以下「ＲＡＭ２１３」という。）、フラッシュメモリ２１４、操作パネル２１５、接続インタフェース（以下「接続Ｉ／Ｆ２１６」という。）、通信インタフェース（以下「通信Ｉ／Ｆ２１７」という。）を有するハードウェア構成の装置である。また、図示するように、これらのハードウェア資源は、バス２１８によって相互に接続される。
【００１４】
ＣＰＵ２１１は、演算装置及び制御装置の例である。そして、ＣＰＵ２１１は、ＲＡＭ２１３等の主記憶装置をワークエリアとして、ＲＯＭ２１２又はフラッシュメモリ２１４等に記憶された各種プログラムを実行する。このような制御及び演算により、ＣＰＵ２１１は、操作装置１１０等を制御し、かつ、各種機能を実現する。
【００１５】
フラッシュメモリ２１４は、不揮発性の記憶媒体の例である。例えば、フラッシュメモリ２１４は、プログラム及びデータ等を記憶する。
【００１６】
操作パネル２１５は、入力装置及び出力装置の例である。すなわち、操作パネル２１５は、操作画面及び処理結果等を表示する。一方で、操作パネル２１５は、ユーザによる操作を受け付ける。
【００１７】
接続Ｉ／Ｆ２１６は、通信路２３０を介して本体部１２０と通信をするインタフェースである。例えば、接続Ｉ／Ｆ２１６は、コネクタ及びケーブル等である。具体的には、接続Ｉ／Ｆ２１６は、ＵＳＢ（Ｕｎｉｖｅｒｓａｌ  Ｓｅｒｉａｌ  Ｂｕｓ）等によって通信を行う。
【００１８】
通信Ｉ／Ｆ２１７は、ネットワーク２６０を介して外部装置と通信をするインタフェースである。例えば、通信Ｉ／Ｆ２１７は、アンテナ等である。図示する例では、通信Ｉ／Ｆ２１７は、無線ＬＡＮ（Ｌｏｃａｌ  Ａｒｅａ  Ｎｅｔｗｏｒｋ）ＡＰ（アクセスポイント）（以下「無線ＬＡＮＡＰ２４０」という。）に接続し、通信を行う。
【００１９】
一方で、本体部１２０は、例えば、ＣＰＵ２２１、ＲＯＭ２２２、ＲＡＭ２２３、ＨＤＤ（Ｈａｒｄ  Ｄｉｓｋ  Ｄｒｉｖｅ、以下「ＨＤＤ２２４」という。）、エンジン部２２５、接続Ｉ／Ｆ２２６及び通信Ｉ／Ｆ２２７を有するハードウェア構成の装置である。また、図示するように、これらのハードウェア資源は、バス２２８によって相互に接続される。
【００２０】
ＣＰＵ２２１は、演算装置及び制御装置の例である。すなわち、図示するように、本体部１２０用となる演算装置及び制御装置は、操作装置１１０用のＣＰＵ２１１とは別であるハードウェア構成が望ましい。
【００２１】
ＲＯＭ２２２及びＲＡＭ２２３は、ＣＰＵ２２１と同様に、本体部１２０用の記憶装置の例である。したがって、ＣＰＵ２２１は、ＲＡＭ２２３等の主記憶装置を利用して、ＲＯＭ２２２及びＨＤＤ２２４等の補助記憶装置に記憶されるプログラム等に基づく処理を実行する。
【００２２】
エンジン部２２５は、コピー機能、スキャナ機能、ファクシミリ機能及びプリンタ機能等の画像処理機能を実現するための処理装置等である。具体的には、エンジン部２２５は、例えば、処理ＩＣ（Ｉｎｔｅｇｒａｔｅｄ  Ｃｉｒｃｕｉｔ）等である。具体的には、エンジン部２２５は、原稿をスキャンして読み取るスキャナ、用紙等のシート材への印刷を行うプロッタ、ファクシミリ通信を行う通信部又はこれらの組み合わせを有する。なお、エンジン部２２５は、印刷済みのシート材を仕分ける装置、いわゆるフィニッシャ又は原稿を自動給送するＡＤＦ（Ａｕｔｏ  Ｄｏｃｕｍｅｎｔ  Ｆｅｅｄｅｒ）等を含んでもよい。
【００２３】
接続Ｉ／Ｆ２２６は、通信路２３０を介して操作装置１１０と通信をするインタフェースである。例えば、接続Ｉ／Ｆ２１６は、コネクタ及びケーブル等である。具体的には、接続Ｉ／Ｆ２２６は、ＵＳＢ等によって通信を行う。
【００２４】
通信Ｉ／Ｆ２２７は、ネットワーク２６０を介して外部装置と通信をするインタフェースである。例えば、通信Ｉ／Ｆ２２７は、ケーブル２５０等である。
【００２５】
＜操作装置の例＞
図３は、操作装置の外観例を示す概要図である。例えば、操作装置１１０は、図示するような外観の装置である。具体的には、操作装置１１０は、例えば、操作パネル２１５等により、画像形成装置が提供する様々な機能の操作画面を表示する。この例では、操作画面は、「コピー」、「スキャナ」、「ファックス」及び「プリンタ」の機能に対する操作を受け付ける。また、図示する例は、いわゆるトップ画面であり、例えば、「コピー」のボタンが押されると、操作画面は、「コピー」の機能について詳細な設定を行う用の操作画面を表示する。
【００２６】
さらに、図示する例は、「初期設定」及び「アドレス帳」が設定できる構成の例である。
【００２７】
また、操作画面においてボタンが押されると、次に遷移して表示される画面又は設定を行う設定値等は、メニュー構成等によって設定される。
【００２８】
なお、操作装置１１０は、図示するような操作パネル２１５で実現されるに限られない。例えば、操作パネル２１５には、タッチパネル以外に、ハードキー等があってもよい。すなわち、操作画面を操作するのにインタフェースとなる構成は、図示する以外の構成でもよい。
【００２９】
＜操作装置及び本体部のソフトウェア構成例＞
図４は、操作装置及び本体部のソフトウェア構成例を示すブロック図である。図示する例は、操作装置１１０及び本体部１２０にインストールされるプログラムによって構成されるソフトウェアの階層構造を示す。
【００３０】
まず、本体部１２０について説明する。この例では、本体部１２０には、補助記憶装置等に、例えば、アプリケーション層４２１、サービス層４２２及びＯＳ層（Ｏｐｅｒａｔｉｎｇ  Ｓｙｓｔｅｍ層、以下「ＯＳ層４２３」という。）を構築するプログラムがインストールされる。
【００３１】
アプリケーション層４２１に区別されるプログラムは、画像形成装置１００が有するハードウェア資源を動作させて様々な機能を実現する。具体的には、アプリケーション層４１１に区別されるプログラムは、例えば、コピーアプリ、ファクシミリアプリ、スキャナアプリ及びプリンタアプリ等である。
【００３２】
サービス層４２２に区分されるプログラムは、アプリケーション層４２１と、ＯＳ層４２３との間に介在するプログラムである。例えば、サービス層４２２に区分されるプログラムは、本体部１２０が有するハードウェア資源をアプリケーション層４２１のプログラムが利用したり、又は、本体部１２０が有するハードウェア資源の状態をアプリケーション層４２１に通知したりするインタフェース等を実現する。
【００３３】
また、サービス層４２２に区分されるプログラムは、ハードウェア資源に対する動作要求を受け付けたり、又は、受け付けた動作要求の調停を行ったりする。ほかにも、サービス層４２２に区分されるプログラムは、ハードウェア資源において検知されたエラーをアプリケーション層４２１にエラー通知として送信する。なお、サービス層４２２が受け付ける動作要求には、例えば、スキャナによる読み取り、又は、プロッタによる印刷を行う等の動作要求が含まれる。
【００３４】
なお、サービス層４２２に区分されるプログラムが実現させるインタフェースとしての役割は、操作装置１１０のアプリケーション層４１１に対しても同様である。すなわち、操作装置１１０のアプリケーション層４１１に区分されるプログラムは、サービス層４２２にアクセスして本体部１２０のハードウェア資源を動作させ、画像処理機能等を実現させることができる。
【００３５】
ＯＳ層４２３に区分されるプログラムは、いわゆる基本ソフトウェアと呼ばれるプログラム等である。そして、ＯＳ層４２３に区分されるプログラムは、本体部１２０が有するハードウェア資源を制御する基本機能を提供する。まず、サービス層４２２に区分されるプログラムは、アプリケーション層４２１に区分されるプログラムが発するハードウェア資源に対する動作要求をＯＳ層４２３が解釈可能なコマンドに変換してＯＳ層４２３に渡す。そして、ＯＳ層４２３に区分されるプログラムが当該コマンドを実行することにより、ハードウェア資源に対する動作要求に基づいて、画像処理機能が実現される。また、ＯＳ層４２３に区分されるプログラムが実行されると、ハードウェア資源は、検知されたエラーを受信する。次に、ハードウェア資源は、受信したエラー通知をアプリケーション層４２１に対して送信するサービス層４２２に渡す。
【００３６】
次に、操作装置１１０について説明する。この例では、操作装置１１０には、補助記憶装置等に、例えば、アプリケーション層４１１、サービス層４１２及びＯＳ層４１３を構築するプログラムがインストールされる。
【００３７】
ただし、アプリケーション層４１１に区分されるプログラムが実現する機能及びサービス層４１２が受け付け可能な動作要求の種類等は、本体部１２０とは異なる。具体的には、操作装置１１０において、アプリケーション層４１１に区分されるプログラムは、主に本体部１２０によって実現される画像処理機能に関する操作及び表示を行うためのユーザインタフェース機能を提供する。
【００３８】
なお、この例では、操作装置１１０と、本体部１２０とで、それぞれのＯＳは、独立して動作する。また、操作装置１１０及び本体部１２０が相互に通信可能であれば、それぞれのＯＳは、同じ種類でなくともよい。例えば、操作装置１１０は、Ａｎｄｒｏｉｄ（登録商標）を用い、かつ、本体部１２０は、Ｌｉｎｕｘ（登録商標）を用いる構成等でもよい。
【００３９】
このように、画像形成装置１００では、例えば、操作装置１１０及び本体部１２０が異なるＯＳにより制御される。そのため、操作装置１１０及び本体部１２０の間における通信は、一装置内のプロセス間通信ではなく、異なる装置間の通信となる。例えば、通信は、操作装置１１０が受け付けたユーザによる操作を本体部１２０へ送信するコマンド通信、又は、本体部１２０が操作装置１１０へ表示画面の表示を指示するイベント通信（例えば、エラー通知又はエラー解除通知等である。）等である。
【００４０】
＜データ構成及びアプリケーション構成の例＞
図５は、データ構成及びアプリケーション構成例を示すブロック図である。例えば、図示するように、画像形成装置１００には、あらかじめ第１アプリケーションＡＰ１、第２アプリケーションＡＰ２、・・・のようにアプリケーションがインストールされる。さらに、画像形成装置１００には、アプリケーションインストーラＩＮＳ等を用いると、第５アプリケーションＡＰ５のように、アプリケーションを追加することができる。
【００４１】
また、画像形成装置１００は、図示するように、アプリケーション及びシステムプログラムＳＰＲ等が共通して使用できる共通記憶領域Ｍ１を有する。共通記憶領域Ｍ１には、例えば、下記（表１）のように、設定値が記憶される。
【００４２】
【表１】
2020135247.tif 000003
上記（表１）における「設定オーナ」は、設定値を設定する主体である。具体的には、「設定オーナ」が「第１アプリケーション」である場合には、第１アプリケーションによって設定値が設定及び利用されることを示す。
【００４３】
「ＩＤ」（Ｉｄｅｎｔｉｆｉｃａｔｉｏｎ）は、識別番号等である。つまり、「ＩＤ」が特定されると、設定値が特定される。
【００４４】
「設定値種別」は、設定値の形式を示す。例えば、「数値」であると、設定値は、数値が設定される。また、「文字列」であると、設定値は、文字等が設定される。「択一選択」であると、設定値は、「入力範囲」にあらかじめ入力される選択肢から選択される形式で設定される。なお、「設定値種別」は、これら以外の形式があってもよい。
【００４５】
「入力範囲」は、設定値に入力可能な範囲、種類又は選択肢等を示す。具体的には、「０〜１０」であると、設定値には、「０」乃至「１０」の範囲で値が設定される。したがって、「入力範囲」より範囲外となる値は、エラーと判断される。
【００４６】
「タイトル」は、設定画面等に表示させる設定値を説明する文字等を示す。
【００４７】
「設定値」は、現在、設定されている設定値を示す。なお、「‐」は、共通記憶領域Ｍ１において、設定値を保存していないことを示す表示である。
【００４８】
「配置箇所」は、各設定値をＧＵＩ（Ｇｒａｐｈｉｃａｌ  Ｕｓｅｒ  Ｉｎｔｅｒｆａｃｅ）で設定し、かつ、設定値及び設定画面をツリー構造とする場合において、ホーム画面に対する位置を示す。例えば、「その他の設定  ＞  第１アプリケーションの設定」という設定は、最初の設定画面で「その他の設定」というボタンを押し、次に表示される設定画面で「第１アプリケーションの設定」というボタンを押すと、対象とする設定値を設定できる設定画面に辿り着くことを示す。
【００４９】
具体的には、設定画面は、例えば、以下のように遷移する。
【００５０】
図６は、設定画面の遷移例を示す図である。
【００５１】
例えば、まず、図６（Ａ）のような設定画面が表示されるとする。すなわち、図６（Ａ）は、設定において、いわゆるホーム画面（以下「第１設定画面ＰＮ１」という。）となる。そして、第１設定画面ＰＮ１において、「その他の設定」というボタンを押す操作が行われると、設定画面は、図６（Ｂ）に示す画面（以下「第２設定画面ＰＮ２」という。）に遷移する。
【００５２】
次に、第２設定画面ＰＮ２において、「第５アプリケーションの設定」というボタンを押す操作が行われると、設定画面は、図６（Ｃ）に示す画面（以下「第３設定画面ＰＮ３」という。）に遷移する。図示するように、第３設定画面ＰＮ３は、第５アプリケーションについての設定値を操作するための設定画面である。したがって、上記（表１）に示すような設定値の構成では、「ＩＤ」が「Ｅ００１」、「Ｅ００２」及び「Ｅ００３」の設定値が第５アプリケーションについての設定値と登録されているため、第３設定画面ＰＮ３では、これらの設定値が設定される。
【００５３】
具体的には、この例では、第３設定画面ＰＮ３において「パスワード」と表示される項目が、上記（表１）における「ＩＤ」が「Ｅ００１」の設定値に対応する。さらに、第３設定画面ＰＮ３において「デフォルトカラーモード」と表示される項目が、上記（表１）における「ＩＤ」が「Ｅ００２」の設定値に対応する。同様に、第３設定画面ＰＮ３において「第５アプリケーション省エネ優先設定」と表示される項目が、上記（表１）における「ＩＤ」が「Ｅ００３」の設定値に対応する。
【００５４】
そして、「Ｅ００２」及び「Ｅ００３」の「設定値」は、上記（表１）に値が直接入力されている、すなわち、共通記憶領域Ｍ１に設定値が記憶されている。したがって、設定画面に表示される値は、共通記憶領域Ｍ１の「設定値」から取得される値である。
【００５５】
一方で、「Ｅ００１」の「設定値」は、上記（表１）では値が「‐」である。このような場合には、例えば、以下のように、「読み出し要求」の入力値に基づいて処理が行われる。
【００５６】
「読み出し要求」は、設定値を読み出す場合に、設定値が共通記憶領域Ｍ１に保存されているか、又は、別の記憶領域に保存されているかを示す。上記（表１）の例では、「読み出し要求」が「‐」であると、共通記憶領域Ｍ１に、すなわち、上記（表１）における「設定値」に、設定値が保存されていることを示す。一方で、上記（表１）の例では、「読み出し要求」が「設定値」であると、設定値が任意記憶領域Ｍ２に保存されていることを示す。例えば、「読み出し要求」が「設定値」の場合には、下記（表２）のようなデータ（以下「パスワードデータ」という。）が、任意記憶領域Ｍ２に保存される。
【００５７】
【表２】
2020135247.tif 000004
上記（表２）に示すように、パスワードデータは、「ＩＤ」及び「設定値」等のデータを示す。具体的には、「ＩＤ」は、上記（表１）と一致する識別番号等である。そして、「設定値」には、パスワードとなる値が入力される。すなわち、上記（表１）における、「Ｅ００１」で「設定値」（上記（表１）では、「‐」と示す箇所に該当する。）に入力される値が、上記（表２）のように、パスワードデータという形式で、任意記憶領域Ｍ２に保存される。
【００５８】
「書き込み要求」は、設定値を書き込む場合（上書きを含む。）に、設定値を共通記憶領域Ｍ１に保存するか、又は、別の記憶領域に保存するかを示す。この例では、「読み出し要求」と同様に、「書き込み要求」が「‐」であると、設定値は、共通記憶領域Ｍ１に書き込まれる。一方で、「書き込み要求」が「設定値」であると、設定値は、パスワードデータのような形式で任意記憶領域Ｍ２に書き込まれる。
【００５９】
なお、「読み出し要求」及び「書き込み要求」等は、いわゆるフラグデータでもよい。すなわち、任意記憶領域Ｍ２に記憶させる内容があらかじめ設定されているような場合等には、「読み出し要求」又は「書き込み要求」が「ＴＲＵＥ」であると、任意記憶領域Ｍ２に、読み出し又は書き込みの対象となる設定値が保存されるという形式でもよい。一方で、「読み出し要求」又は「書き込み要求」が「ＦＡＬＳＥ」であると、共通記憶領域Ｍ１に、読み出し又は書き込みの対象となる設定値が保存される。例えば、記憶先の指定方法は、このような方法等でもよい。
【００６０】
なお、任意記憶領域Ｍ２は、セキュアな記憶領域であるのが望ましい。すなわち、任意記憶領域Ｍ２は、セキュリティが確保された記憶領域であるのが望ましい。具体的には、共通記憶領域Ｍ１は、ＯＳ又はどのようなアプリケーションでもアクセス可能な記憶領域であるとするのに対して、任意記憶領域Ｍ２は、例えば、アクセス可能なアプリケーションが限定される。すなわち、この例では、任意記憶領域Ｍ２には、第５アプリケーションＡＰ５以外のアクセスが拒否される等である。このような記憶領域であると、特定のアプリケーションを介さないと、データの変更及び取得等ができないため、不正な処理又は情報漏洩等を防ぎやすくできる。
【００６１】
また、セキュアな記憶領域とする方法は、アクセスするアプリケーションを限定する方法に限られない。例えば、セキュアな記憶領域とする方法は、記憶領域にアクセスするのに所定の認証処理を行う、又は、ファイヤーウォール等のセキュリティで記憶領域を保護する等でもよい。
【００６２】
＜全体処理例＞
図７は、全体処理の例を示すシーケンス図である。例えば、図示するような全体処理によって、上記のようなデータ構成及びアプリケーション構成等を実現する。
【００６３】
まず、初期化の処理として、例えば、以下のステップＳ１０１乃至ステップＳ１０７が行われる。
【００６４】
ステップＳ１０１では、アプリケーションインストーラＩＮＳは、ユーザＵＲによる第５アプリケーションＡＰ５を追加インストールする操作を受け付ける。
【００６５】
ステップＳ１０２では、アプリケーションインストーラＩＮＳは、第５アプリケーションＡＰ５を追加インストールする。
【００６６】
ステップＳ１０３では、アプリケーションインストーラＩＮＳは、第５アプリケーションＡＰ５のインストールを通知する。
【００６７】
ステップＳ１０４では、設定モジュールＭＳは、設定値の格納を要求する。
【００６８】
ステップＳ１０５では、第５アプリケーションＡＰ５は、設定値等を共通記憶領域Ｍ１に書き込む。そして、上記（表１）における「Ｅ００１」のような設定値があると、任意記憶領域Ｍ２に書き込むように判定する。
【００６９】
具体的には、上記（表１）の例では、「書き込み要求」が「‐」であると、第５アプリケーションＡＰ５は、記憶先を共通記憶領域Ｍ１と判定する。一方で、「書き込み要求」が「設定値」であると、第５アプリケーションＡＰ５は、記憶先を任意記憶領域Ｍ２と判定する。したがって、第５アプリケーションＡＰ５は、記憶先が任意記憶領域Ｍ２であると判定されると（［記憶先が任意記憶領域の場合］）、ステップＳ１０６を行う。
【００７０】
ステップＳ１０６では、第５アプリケーションＡＰ５は、設定値等を任意記憶領域Ｍ２に書き込む。
【００７１】
ステップＳ１０７では、第５アプリケーションＡＰ５は、設定値の初期化が完了したことを通知する。
【００７２】
以上のような初期化がされた状態で、上記（表１）における「Ｅ００１」の設定値を読み出しが行われると（［パスワードの読み出しの場合］）、画像形成装置は、ステップＳ１０８に進む。
【００７３】
同様に、初期化がされた状態で、上記（表１）における「Ｅ００１」の設定値の書き込みが行われると（［パスワードの書き込みの場合］）、画像形成装置は、ステップＳ１１４に進む。
【００７４】
ステップＳ１０８では、設定モジュールＭＳは、設定画面を表示させる指示を受け付ける。例えば、ステップＳ１０８は、第３設定画面ＰＮ３を表示するように指示する操作等がされた場合である。このような場合に、設定値の読み出しが開始となる。
【００７５】
ステップＳ１０９では、設定モジュールＭＳは、共通記憶領域Ｍ１から、設定値等を読み出す。そして、上記（表１）における「Ｅ００１」の「設定値」は、ステップＳ１０５と同様に、「読み出し要求」に基づいて、任意記憶領域Ｍ２から、読み出すと判定される。なお、この例では、任意記憶領域Ｍ２からの読み出しは、第５アプリケーションＡＰ５を介して読み出すとする。
【００７６】
また、読み出しは、一部の設定値が対象となってもよい。例えば、上記（表１）の例では、読み出しが行われると、１行分のデータが読み出しの対象となる。一方で、１行分のデータがすべて読み出されなくともよい。例えば、「入力範囲」の設定値だけが読み出しの対象となってもよい。
【００７７】
ステップＳ１１０では、設定モジュールＭＳは、「設定値」の読み出し要求を行う。
【００７８】
ステップＳ１１１では、第５アプリケーションＡＰ５は、要求に基づいて、任意記憶領域Ｍ２から、設定値等を読み出す。
【００７９】
ステップＳ１１２では、第５アプリケーションＡＰ５は、要求に対して、ステップＳ１１１で取得する設定値を応答する。
【００８０】
ステップＳ１１３では、設定モジュールＭＳは、設定画面を表示する。例えば、設定モジュールＭＳは、第３設定画面ＰＮ３のような設定画面を表示する。
【００８１】
ステップＳ１１４では、設定モジュールＭＳは、設定値を書き込む指示を受け付ける。例えば、ステップＳ１１４は、第３設定画面ＰＮ３において、パスワードという「設定値」を変更する操作等がされた場合である。このような場合に、設定値の書き込みが開始となる。
【００８２】
ステップＳ１１５では、設定モジュールＭＳは、共通記憶領域Ｍ１から、設定値等を読み込む。そして、設定モジュールＭＳは、上記（表１）における「書き込み要求」の「設定値」のように、任意記憶領域Ｍ２が記憶先となる設定値があるか否かを判定する。
【００８３】
ステップＳ１１６では、設定モジュールＭＳは、共通記憶領域Ｍ１に、設定値等を書き込む。そして、上記（表１）における「Ｅ００１」の設定値は、第５アプリケーションＡＰ５を介して書き込むとする。なお、書き込みの対象となる設定値が複数あって、「Ｅ００１」における「設定値」のように、記憶先が任意記憶領域Ｍ２でなく、記憶先が共通記憶領域Ｍ１である設定値がある場合には、ステップＳ１１６で共通記憶領域Ｍ１に設定値が書き込まれる。このように、設定値は、複数の設定値がまとめて書き込まれてもよい。
【００８４】
ステップＳ１１７では、設定モジュールＭＳは、「設定値」の書き込み要求を行う。
【００８５】
ステップＳ１１８では、第５アプリケーションＡＰ５は、要求に基づいて、任意記憶領域Ｍ２に、設定値等を書き込む。
【００８６】
ステップＳ１１９では、第５アプリケーションＡＰ５は、要求に対して、ステップＳ１１８で設定値を書き込んだと応答する。
【００８７】
ステップＳ１２０では、設定モジュールＭＳは、設定画面を表示する。例えば、設定モジュールＭＳは、第３設定画面ＰＮ３等の設定画面において、設定値の書き込み完了等を表示する。
【００８８】
＜機能構成例＞
図８は、画像形成装置の機能構成例を示す機能ブロック図である。例えば、画像形成装置１００は、第１記憶部ＦＮ１と、判定部ＦＮ３と、第２記憶部ＦＮ４と、設定部ＦＮ２と、アプリケーション部ＦＮ５とを備える機能構成である。以下、図示する機能構成を例に説明する。
【００８９】
第１記憶部ＦＮ１は、画像形成装置１００又は操作装置が用いる設定値を記憶する第１記憶手順を行う。例えば、第１記憶部ＦＮ１は、フラッシュメモリ２１４等によって実現される。具体的には、第１記憶部ＦＮ１は、共通記憶領域Ｍ１等のような記憶領域を形成する。
【００９０】
第２記憶部ＦＮ４は、第１記憶部ＦＮ１とは別に、画像形成装置１００又は操作装置が用いる設定値を記憶する第２記憶手順を行う。例えば、第２記憶部ＦＮ４は、フラッシュメモリ２１４等によって実現される。具体的には、第２記憶部ＦＮ４は、任意記憶領域Ｍ２等のような記憶領域を形成する。
【００９１】
設定部ＦＮ２は、設定値に対する書き込み又は読み出しの操作を受け付ける設定手順を行う。例えば、設定部ＦＮ２は、操作パネル２１５等によって実現される。
【００９２】
アプリケーション部ＦＮ５は、設定値を第２記憶部ＦＮ４に書き込む、又は、設定値を第２記憶部ＦＮ４から読み出すアプリケーション手順を行う。例えば、アプリケーション部ＦＮ５は、ＣＰＵ２１１等によって実現される。
【００９３】
判定部ＦＮ３は、設定値の記憶先を判定する判定手順を行う。例えば、判定部ＦＮ３は、ＣＰＵ２１１等によって実現される。
【００９４】
画像形成装置１００は、アプリケーション等が用いる設定値を記憶する。そして、画像形成装置１００は、設定値を記憶する記憶領域、すなわち、記憶先を設定値ごとに判定して切り替える。例えば、上記（表１）及び（表２）の例のように、パスワードといった秘密にしたい情報は、第２記憶部ＦＮ４のように、セキュアな記憶領域を記憶先とする。一方で、それ以外の情報は、第１記憶部ＦＮ１のように、ＯＳ又は複数のアプリケーションが共通して用いる記憶領域を記憶先とする。
【００９５】
このように、判定部ＦＮ３は、「書き込み要求」又は「読み出し要求」等に基づいて、記憶先を判定する。そして、判定結果に基づいて、アプリケーション部ＦＮ５は、設定値を書き込む、又は、設定値を読み出す処理の記憶先を決める。このような構成であると、例えば、情報の機密性等に合わせて、設定値を所望の記憶領域に保存できる。
【００９６】
そして、このように、記憶領域を分ける構成であっても、設定部ＦＮ２が設定画面を表示する際等には、アプリケーション部ＦＮ５は、第２記憶部ＦＮ４から設定値を読み出す処理を行う。一方で、アプリケーション部ＦＮ５は、第１記憶部ＦＮ１からも設定値を読み出す処理を行う。このようにすると、例えば、図６（Ｃ）に示すように、どちらの記憶領域に保存される設定値であっても、設定画面等で表示することができる。
【００９７】
＜第２実施形態＞
第１実施形態と比較すると、第２実施形態は、全体処理が異なる。以下、異なる点を中心に説明し、重複する説明を省略する。
【００９８】
図９は、第２実施形態における全体処理の例を示すシーケンス図である。以下、第１実施形態と同一の処理には、同一の符号を付し、説明を省略する。第１実施形態と比較すると、ステップＳ２０１、ステップＳ２０２及びステップＳ２０３の処理が加わる点が異なる。
【００９９】
ステップＳ２０１では、第５アプリケーションＡＰ５は、設定値を暗号化する。すなわち、第５アプリケーションＡＰ５は、設定値を平文の状態から暗号文の状態に変換する。
【０１００】
したがって、ステップＳ１０６では、暗号化した設定値（以下「暗号化設定値」という。）が書き込み処理の対象となる。
【０１０１】
ステップＳ２０２では、第５アプリケーションＡＰ５は、読み出した暗号化設定値を復号化する。すなわち、第５アプリケーションＡＰ５は、設定値を暗号文の状態から平文の状態に変換する。
【０１０２】
ステップＳ２０３では、第５アプリケーションＡＰ５は、設定値を暗号化する。すなわち、第５アプリケーションＡＰ５は、設定値を平文の状態から暗号文の状態に変換する。
【０１０３】
したがって、ステップＳ１１８では、暗号化設定値が書き込み処理の対象となる。
【０１０４】
以上のような全体処理が行われると、任意記憶領域Ｍ２に、例えば、下記（表３）に示すようなパスワードデータが保存される。
【０１０５】
【表３】
2020135247.tif 000005
このような構成であると、任意記憶領域Ｍ２に不正にアクセスして、パスワードデータが取得される等があっても、パスワードデータが難読な状態であるため、パスワード等の情報が不正に取得されにくい。したがって、このような構成にすることで、画像形成装置は、よりセキュリティを向上させることができる。
【０１０６】
例えば、暗号化及び復号化は、ＡＥＳ（Ａｄｖａｎｃｅｄ  Ｅｎｃｒｙｐｔｉｏｎ  Ｓｔａｎｄａｒｄ）方式等で実現する。ほかにも、暗号化及び復号化の処理は、例えば、ランレングス圧縮（Ｒｕｎ  Ｌｅｎｇｔｈ  Ｅｎｃｏｄｉｎｇ）等でデータを符号化して、データを暗号化、かつ、可逆的に圧縮する処理でもよい。
【０１０７】
＜第３実施形態＞
第１実施形態と比較すると、第３実施形態は、データ構成、全体処理及び機能構成が異なる。以下、異なる点を中心に説明し、重複する説明を省略する。なお、第１実施形態と同一の構成には、同一の符号を付し、説明を省略する。
【０１０８】
＜データ構成及びアプリケーション構成の例＞
図１０は、第３実施形態におけるデータ構成及びアプリケーション構成例を示すブロック図である。第１実施形態と比較すると、図示する構成例は、記憶領域が共通記憶領域Ｍ１だけになる点が異なる。さらに、図示する構成例は、設定値の書き込み又は読み出しを行う際に、暗号化及び復号化を行う場合と、行わない場合とがある点が異なる。
【０１０９】
図示する構成例では、「Ｅ００１」のように、秘密にしたい情報を含む設定値であっても、他の設定値と同様に、第５アプリケーションＡＰ５は、共通記憶領域Ｍ１を記憶先にして設定値を保存する。なお、秘密にしたい情報であるか否かは、例えば、「書き込み要求」又は「読み出し要求」に「設定値」が設定されているか否かで判定される。
【０１１０】
そして、パスワードのように秘密にしたい情報等と判定される場合には、第５アプリケーションＡＰ５は、設定値を暗号化して暗号化設定値に変換して共通記憶領域Ｍ１に書き込む。一方で、読み出す場合には、第５アプリケーションＡＰ５は、暗号化設定値を読み出して復号化する。
【０１１１】
したがって、共通記憶領域Ｍ１には、例えば、下記（表４）のように、設定値が記憶される。
【０１１２】
【表４】
2020135247.tif 000006
上記（表１）と比較すると、「Ｅ００１」における「設定値」が暗号化された状態で保存されている点が異なる。
【０１１３】
＜全体処理例＞
図１１は、第３実施形態における全体処理の例を示すシーケンス図である。第２実施形態と比較すると、第３実施形態は、ステップＳ３０１、ステップＳ３０２及びステップＳ３０３が行われる点と、ステップＳ１０５における判定処理とが異なる。
【０１１４】
ステップＳ１０５では、第５アプリケーションＡＰ５は、設定値等の書き込みにおいて、上記（表３）における「Ｅ００１」のような設定値があると、暗号化すると判定する。
【０１１５】
そして、設定値を暗号化すると判定する場合（［暗号化対象のデータの場合］）には、第５アプリケーションＡＰ５は、ステップＳ２０１に進む。
【０１１６】
ステップＳ３０１では、第５アプリケーションＡＰ５は、共通記憶領域Ｍ１を記憶先にして、ステップＳ２０１による暗号化で生成される暗号化設定値を書き込む。
【０１１７】
ステップＳ３０２では、第５アプリケーションＡＰ５は、共通記憶領域Ｍ１を記憶先にして、暗号化設定値を読み出す。後段のステップＳ２０２では、ステップＳ３０２で読み出された暗号化設定値が、復号化の対象となる。
【０１１８】
ステップＳ３０３では、第５アプリケーションＡＰ５は、共通記憶領域Ｍ１を記憶先にして、ステップＳ２０３による暗号化で生成される暗号化設定値を書き込む。
【０１１９】
＜機能構成例＞
図１２は、第３実施形態における画像形成装置の機能構成例を示す機能ブロック図である。第１実施形態と比較すると、第３実施形態は、判定部ＦＮ３及びアプリケーション部ＦＮ５が主に異なる。
【０１２０】
判定部ＦＮ３は、設定値を暗号化するか否かを判定する判定手順を行う。
【０１２１】
アプリケーション部ＦＮ５は、判定部ＦＮ３による判定結果に基づいて、設定値を暗号化してから書き込む場合と、暗号化せず、平文の状態で設定値を書き込む場合とを切り替えるアプリケーション手順を行う。
【０１２２】
第３実施形態では、画像形成装置１００は、設定値ごとに、設定値の暗号化及び復号化の要否を判定して切り替える。例えば、上記（表４）の例のように、設定値には、パスワードといった秘密にしたい情報を含む場合がある。そこで、第１記憶部ＦＮ１のように、ＯＳ又は複数のアプリケーションが共通して用いる記憶領域が記憶先である場合には、パスワードのような設定値は、暗号化され、難読な状態で記憶領域に記憶される。
【０１２３】
このように、判定部ＦＮ３による「書き込み要求」又は「読み出し要求」等に基づく暗号化の要否の判定に基づいて、アプリケーション部ＦＮ５は、設定値を暗号化してから書き込むか、又は、設定値を平文の状態で書き込むかの処理を決める。このような構成であると、例えば、情報の機密性等に合わせて、設定値を第１記憶部ＦＮ１のような記憶領域に保存できる。
【０１２４】
そして、このように、暗号化された設定値を含む構成であっても、設定部ＦＮ２が設定画面を表示する際等には、アプリケーション部ＦＮ５は、第１記憶部ＦＮ１から設定値を読み出し、その後、復号化する処理を行う。一方で、アプリケーション部ＦＮ５は、第１記憶部ＦＮ１から平文の設定値を読み出す処理を行う。このようにすると、暗号化された設定値が含まれて保存されても、例えば、図６（Ｃ）に示すように、設定画面等で表示することができる。
【０１２５】
＜第４実施形態＞
第１実施形態と比較すると、第４実施形態は、データ構成、全体処理及び機能構成が異なる。以下、異なる点を中心に説明し、重複する説明を省略する。なお、第１実施形態と同一の構成には、同一の符号を付し、説明を省略する。
【０１２６】
＜データ構成及びアプリケーション構成の例＞
図１３は、第４実施形態におけるデータ構成及びアプリケーション構成例を示すブロック図である。第１実施形態と比較すると、第４実施形態は、設定値の記憶先が共通記憶領域Ｍ１と、ＯＳ３００が参照する記憶領域（以下「参照領域Ｍ３」という。）となる点が異なる。また、第４実施形態では、アプリケーションインストーラＩＮＳによって追加されるアプリケーションを第６アプリケーションＡＰ６とする。
【０１２７】
また、画像形成装置１００は、図示するように、アプリケーション及びシステムプログラムＳＰＲ等が共通して使用できる共通記憶領域Ｍ１を有する。共通記憶領域Ｍ１には、例えば、下記（表５）のように、設定値が記憶される。
【０１２８】
【表５】
2020135247.tif 000007
上記（表１）と比較すると、上記（表５）では、「Ｆ００１」及び「Ｆ００２」の設定値がある点が異なる。そして、上記（表５）の例において、「Ｆ００１」が、参照領域Ｍ３を記憶先とする設定値の例とする。
【０１２９】
第１実施形態と同様に、記憶先を参照領域にする場合には、「設定値」に「‐」を設定し、かつ、「読み出し要求」又は「書き込み要求」に「設定値」を設定する。したがって、第１実施形態と同様に、画像形成装置は、書き込み又は読み出しの際に、「読み出し要求」又は「書き込み要求」の設定に基づいて、記憶先を判定する。
【０１３０】
そして、「読み出し要求」が「設定値」の場合、すなわち、「Ｆ００１」の場合には、下記（表６）のようなデータ（以下「音量データ」という。）が、参照領域Ｍ３に保存される。
【０１３１】
【表６】
2020135247.tif 000008
上記（表６）に示すように、音量データは、「ＩＤ」及び「設定値」等のデータを示す。具体的には、「ＩＤ」は、上記（表１）と一致する識別番号等である。そして、「設定値」には、音量（スピーカ等の機器から出力させる音の強弱を設定する値の例である。）となる値が入力される。
【０１３２】
「Ｆ００１」のような設定値は、ＯＳ３００が参照する設定値である。このような設定値は、システムによって、記憶先となる記憶領域がシステムの仕様等によって決まっている固有の記憶領域となる場合がある。このような設定値は、例えば、以下のように、設定される。
【０１３３】
図１４は、第４実施形態における設定画面の遷移例を示す図である。例えば、まず、図６（Ａ）に示す場合と同様に、第１設定画面ＰＮ１において、「システム設定」というボタンが押されると、図６（Ｂ）に示すように、設定画面は、システムに関する設定を行う設定画面（以下「システム設定画面ＰＮ４２」という。）に遷移する。
【０１３４】
そして、システム設定画面ＰＮ４２において、「機器設定」というボタンが押されると、図６（Ｃ）に示すように、設定画面は、機器に関する設定を行う設定画面（以下「機器設定画面ＰＮ４３」という。）に遷移する。
【０１３５】
＜全体処理例＞
図１５は、第４実施形態における全体処理の例を示すシーケンス図である。第１実施形態と比較すると、第４実施形態は、ステップＳ４０１、ステップＳ４０２、ステップＳ４０３及びステップＳ４０４が行われる点と、ステップＳ１０５における判定処理とが異なる。
【０１３６】
ステップＳ１０５では、第６アプリケーションＡＰ６は、設定値等の書き込みにおいて、上記（表５）における「Ｆ００１」のような設定値があると、記憶先を参照領域Ｍ３にすると判定する。
【０１３７】
そして、記憶先を参照領域Ｍ３にすると判定する場合（［記憶先が参照領域の場合］）には、第６アプリケーションＡＰ６は、ステップＳ４０１に進む。
【０１３８】
ステップＳ４０１では、第６アプリケーションＡＰ６は、設定値等を参照領域Ｍ３に書き込む。
【０１３９】
以上のような初期化がされた状態で、上記（表５）における「Ｆ００１」の設定値を読み出しが行われると（［音量データの読み出しの場合］）、画像形成装置は、ステップＳ１０８に進む。
【０１４０】
同様に、初期化がされた状態で、上記（表５）における「Ｆ００１」の設定値の書き込みが行われると（［音量データの書き込みの場合］）、画像形成装置は、ステップＳ１１４に進む。
【０１４１】
ステップＳ４０２では、第６アプリケーションＡＰ６は、ステップＳ１１０による要求に基づいて、参照領域Ｍ３から、設定値等を読み出す。
【０１４２】
ステップＳ４０３では、第６アプリケーションＡＰ６は、ステップＳ１１７による要求に基づいて、参照領域Ｍ３に、設定値等を書き込む。
【０１４３】
そして、ＯＳが設定値を参照する場合（［ＯＳによる参照］）には、画像形成装置は、ステップＳ４０４を行う。
【０１４４】
ステップＳ４０４では、ＯＳ３００は、参照領域Ｍ３から、設定値を読み出す。
【０１４５】
＜機能構成例＞
図１６は、第４実施形態における画像形成装置の機能構成例を示す機能ブロック図である。第１実施形態と比較すると、第２記憶部ＦＮ４が形成する記憶領域が参照領域Ｍ３である点が異なる。
【０１４６】
画像形成装置１００は、ＯＳ及びアプリケーション等が用いる設定値を記憶する。そして、画像形成装置１００は、設定値を記憶する記憶領域、すなわち、記憶先を設定値ごとに判定して切り替える。例えば、上記（表５）及び（表６）の例のように、機器の設定情報等は、第２記憶部ＦＮ４のように、仕様等によって定まる参照領域Ｍ３を記憶先とする。一方で、それ以外の情報は、第１実施形態と同様に、第１記憶部ＦＮ１のように、ＯＳ又は複数のアプリケーションが共通して用いる記憶領域を記憶先とする。
【０１４７】
このように、判定部ＦＮ３による「書き込み要求」又は「読み出し要求」等に基づく記憶先の判定に基づいて、アプリケーション部ＦＮ５は、設定値を書き込む、又は、設定値を読み出す処理の記憶先を決める。このような構成であると、例えば、システムプログラムの設定等に合わせて、設定値を所望の記憶領域に保存できる。
【０１４８】
そして、このように、記憶領域を分ける構成であっても、設定部ＦＮ２が設定画面を表示する際等には、アプリケーション部ＦＮ５は、第２記憶部ＦＮ４から設定値を読み出す処理を行う。一方で、アプリケーション部ＦＮ５は、第１記憶部ＦＮ１からも設定値を読み出す処理を行う。このようにすると、例えば、図６（Ｃ）に示すように、どちらの記憶領域に保存される設定値であっても、設定画面等で表示することができる。さらに、機器設定画面ＰＮ４３のように、ＯＳが参照するような場合であっても、設定値を読み出して、設定画面等で表示することができる。
【０１４９】
このようにすると、共通のシステムプログラム等を変更しなくとも、アプリケーションの設定を追加することができる。
【０１５０】
＜第５実施形態＞
第１実施形態と比較すると、第５実施形態は、データ構成及び全体処理が異なる。以下、異なる点を中心に説明し、重複する説明を省略する。なお、第１実施形態と同一の構成には、同一の符号を付し、説明を省略する。
【０１５１】
＜データ構成及びアプリケーション構成の例＞
図１７は、第５実施形態におけるデータ構成及びアプリケーション構成例を示すブロック図である。第４実施形態と比較すると、第５実施形態では、参照領域Ｍ３に対する設定値の書き込み、及び、設定値の読み出しがＯＳ３００を介して行われる点が異なる。
【０１５２】
＜全体処理例＞
図１８は、第５実施形態における全体処理の例を示すシーケンス図である。第４実施形態と比較すると、第５実施形態は、ステップＳ５０１、ステップＳ５０２、ステップＳ５０３、ステップＳ５０４、ステップＳ５０５及びステップＳ５０６が行われる点が異なる。
【０１５３】
ステップＳ５０１では、第６アプリケーションＡＰ６は、ステップＳ１０５における判定に基づいて、ＯＳ３００に、設定値の書き込みを要求する。
【０１５４】
ステップＳ５０２では、ＯＳ３００は、ステップＳ５０１における要求に基づいて、参照領域Ｍ３に設定値を書き込む。
【０１５５】
ステップＳ５０３では、第６アプリケーションＡＰ６は、ステップＳ１０９における判定に基づいて、ＯＳ３００に、設定値の読み出しを要求する。
【０１５６】
ステップＳ５０４では、ＯＳ３００は、ステップＳ５０３における要求に基づいて、参照領域Ｍ３から、設定値を読み出す。
【０１５７】
ステップＳ５０５では、第６アプリケーションＡＰ６は、ステップＳ１１５における判定に基づいて、ＯＳ３００に、設定値の書き込みを要求する。
【０１５８】
ステップＳ５０６では、ＯＳ３００は、ステップＳ５０５における要求に基づいて、参照領域Ｍ３に設定値を書き込む。
【０１５９】
このように、参照領域Ｍ３に対する読み出し及び書き込みは、ＯＳのＩ／Ｆ（ｉｎｔｅｒｆａｃｅ）を利用するのが望ましい。すなわち、参照領域Ｍ３に対する処理は、ＯＳによって、ＡＰＩ（Ａｐｐｌｉｃａｔｉｏｎ  Ｐｒｏｇｒａｍｍｉｎｇ  Ｉｎｔｅｒｆａｃｅ）等の関数が用意されている場合が多い。したがって、このようなＩ／Ｆを利用すると、書き込み及び読み出しといった処理が容易に実装できる。
【０１６０】
＜第６実施形態＞
第１実施形態と比較すると、第６実施形態は、データ構成、機能構成及び全体処理が異なる。以下、異なる点を中心に説明し、重複する説明を省略する。なお、第１実施形態と同一の構成には、同一の符号を付し、説明を省略する。
【０１６１】
＜データ構成及びアプリケーション構成の例＞
図１９は、第６実施形態におけるデータ構成及びアプリケーション構成例を示すブロック図である。第１実施形態と比較すると、第６実施形態は、設定値の記憶先が共通記憶領域Ｍ１と、共通記憶領域Ｍ１とは別の記憶領域（以下「アプリ記憶領域Ｍ４」という。）となる点が異なる。また、第６実施形態では、アプリケーションインストーラＩＮＳによって追加されるアプリケーションを第７アプリケーションＡＰ７とする。
【０１６２】
また、画像形成装置１００は、図示するように、アプリケーション及びシステムプログラムＳＰＲ等が共通して使用できる共通記憶領域Ｍ１を有する。共通記憶領域Ｍ１には、例えば、下記（表７）のように、設定値が記憶される。
【０１６３】
【表７】
2020135247.tif 000009
上記（表１）と比較すると、上記（表７）では、「Ｇ００１」、「Ｇ００２」、「Ｇ００３」及び「Ｇ００４」の設定値がある点が異なる。
【０１６４】
「Ｇ００１」、「Ｇ００２」、「Ｇ００３」及び「Ｇ００４」の設定値は、頻繁に値が変わる設定値の例である。具体的には、「Ｇ００１」の「設定値」は、赤色のトナー残量を示す設定値である。同様に、「Ｇ００２」の「設定値」は、緑色のトナー残量を示す設定値である。また、「Ｇ００３」の「設定値」は、青色のトナー残量を示す設定値である。さらに、「Ｇ００４」の「設定値」は、黒色のトナー残量を示す設定値である。したがって、これらの「設定値」は、印刷が行われるごとに、値が変化する。例えば、これらの設定値は、以下のように、設定画面等に表示される。
【０１６５】
図２０は、第６実施形態における設定画面の遷移例を示す図である。例えば、まず、図６（Ａ）に示す場合と同様に、第１設定画面ＰＮ１において、「その他の設定」というボタンが押されると、図６（Ｂ）と同様に、設定画面は、第２設定画面ＰＮ２に遷移する。
【０１６６】
そして、第２設定画面ＰＮ２において、「第７アプリケーションの設定」というボタンが押されると、図２０（Ｃ）に示すように、設定画面は、第７アプリケーションについての設定画面（以下「第７アプリケーション設定画面ＰＮ６１」という。）に遷移する。
【０１６７】
図示するように、第７アプリケーション設定画面ＰＮ６１では、「Ｇ００１」、「Ｇ００２」、「Ｇ００３」及び「Ｇ００４」の設定値が、「赤トナー残量」、「緑トナー残量」、「青トナー残量」及び「黒トナー残量」という表示に対して、値が表示される。
【０１６８】
＜全体処理例＞
図２１は、第６実施形態における全体処理の例を示すシーケンス図である。第１実施形態と比較すると、第６実施形態は、初期化では、設定値がすべて共通記憶領域Ｍ１に書き込まれる（ステップＳ１０５）点が異なる。
【０１６９】
さらに、第６実施形態では、読み出しを行う場合（［読み出しの場合］）には、最初（例えば、電源を投入した直後等であって、アプリ記憶領域Ｍ４に設定値がまだ記憶されていない状態等をいう。）の読み出し（［最初の読み出しの場合］）は、共通記憶領域Ｍ１から、設定値が読み出される（ステップＳ１０９）。一方で、最初以外（［最初以外の読み出しの場合］）では、設定値は、アプリ記憶領域Ｍ４から読み出される（ステップＳ１１１）。
【０１７０】
また、第６実施形態では、書き込みを行う場合（［書き込みの場合］）には、所定の条件を満たす場合には、ステップＳ１１６によって、設定値が共通記憶領域Ｍ１に書き込まれる。
【０１７１】
所定の条件は、例えば、書き込み回数、時間、終了のタイミング、更新回数又はこれらの組み合わせ等によって定まる。なお、所定の条件は、あらかじめ設定される。
【０１７２】
例えば、書き込み回数を条件にする場合には、１００  回（基準とする値は、あらかじめ設定される。）アプリ記憶領域Ｍ４に設定値を書き込むと、画像形成装置は、１  回、共通記憶領域Ｍ１に設定値を書き込む。すなわち、アプリ記憶領域Ｍ４に対して１００  回の書き込みごとに、共通記憶領域Ｍ１に設定値を１回書き込む。
【０１７３】
同様に、更新回数、すなわち、所定の回数分、設定値が更新されると、画像形成装置は、共通記憶領域Ｍ１に設定値を書き込む。その間は、アプリ記憶領域Ｍ４に設定値を書き込む。
【０１７４】
時間の場合には、前回の共通記憶領域Ｍ１に対する書き込みから、所定の時間が経つと、画像形成装置は、共通記憶領域Ｍ１に対して書き込む。その間は、アプリ記憶領域Ｍ４に設定値を書き込む。
【０１７５】
また、終了（電源をＯＦＦにする等の場合である。）の際には、画像形成装置は、共通記憶領域Ｍ１に設定値を書き込み、それ以外では、アプリ記憶領域Ｍ４に設定値を書き込む等でもよい。
【０１７６】
つまり、画像形成装置は、設定値の変化があっても、変化があるごとに共通記憶領域Ｍ１に書き込まず、ある程度の間隔を空けて、設定値を共通記憶領域Ｍ１に書き込む。このようにして、共通記憶領域Ｍ１への書き込み回数を少なくする。
【０１７７】
＜機能構成例＞
図２２は、第６実施形態における画像形成装置の機能構成例を示す機能ブロック図である。第１実施形態と比較すると、第６実施形態は、第２記憶部ＦＮ４が形成する記憶領域がアプリ記憶領域Ｍ４である点が異なる。
【０１７８】
判定部ＦＮ３は、所定の条件を満たすか否かを判定する判定手順を行う。
【０１７９】
画像形成装置１００は、第２記憶部ＦＮ４に設定値を書き込む。そして、所定の条件を満たすと判定される場合には、画像形成装置１００は、第１記憶部ＦＮ１に設定値を書き込む。このような構成にすると、第１記憶部ＦＮ１に対する書き込み頻度を少なくできる。
【０１８０】
例えば、第１記憶部ＦＮ１が不揮発性のメモリ等である場合には、書き込み回数制限がある場合が多い。すなわち、第１記憶部ＦＮ１が不揮発性のメモリ等である場合には、第１記憶部ＦＮ１に対して頻繁に書き込みを行うと、ハードウェア寿命を縮めてしまう場合が多い。そこで、第２記憶部ＦＮ４のように、揮発性のメモリ等によって実現される記憶領域を確保し、頻繁な変更が行われる場合において、第２記憶部ＦＮ４に設定値が書き込まれることで、第１記憶部ＦＮ１に対する書き込み頻度を少なくする。
【０１８１】
したがって、第２記憶部ＦＮ４は、揮発性のメモリ又はＨＤＤ等のように、書き込み回数制限がない、又は、書き込み回数が多くできるハードウェアによって実現されるのが望ましい。このような構成であると、画像形成装置は、ハードウェア寿命を延ばすことができる。
【０１８２】
なお、頻繁に値が変わる設定値は、トナー残量に限られない。例えば、頻繁に値が変わる設定値は、センサ等で計測される値等でもよい。
【０１８３】
＜第７実施形態＞
第６実施形態と比較すると、第７実施形態は、データ構成及び全体処理が異なる。以下、異なる点を中心に説明し、重複する説明を省略する。なお、第６実施形態と同一の構成には、同一の符号を付し、説明を省略する。
【０１８４】
＜データ構成及びアプリケーション構成の例＞
図２３は、第７実施形態におけるデータ構成及びアプリケーション構成例を示すブロック図である。第６実施形態と比較すると、第７実施形態では、アプリケーションインストーラＩＮＳによって追加されるアプリケーションを第８アプリケーションＡＰ８とする点が異なる。
【０１８５】
また、画像形成装置１００は、図示するように、アプリケーション及びシステムプログラムＳＰＲ等が共通して使用できる共通記憶領域Ｍ１を有する。共通記憶領域Ｍ１には、例えば、下記（表８）のように、設定値が記憶される。
【０１８６】
【表８】
2020135247.tif 000010
上記（表７）と比較すると、上記（表８）では、「Ｈ００１」の設定値がある点が異なる。
【０１８７】
「Ｈ００１」の「入力範囲」の設定値は、頻繁に値が変わる設定値（以下「頻繁変化設定値」という。）の例である。具体的には、「Ｈ００１」の「入力範囲」は、周辺機器等から取得される値である。つまり、「Ｈ００１」の「入力範囲」は、周辺機器等によって値が変わる設定値ため、「読み出し要求」にて、アプリ記憶領域Ｍ４に値を問い合わせるようにする。なお、この例では、第８アプリケーションＡＰ８が、問い合わせの要求に基づいて設定値を取得する。
【０１８８】
このような設定値は、取得されるごとに、値が変化する場合が多い。そのため、取得のたびに第１記憶部に書き込むと、書き込み回数制限のある記憶装置で実現される第１記憶部のハードウェア寿命が縮んでしまう場合がある。そこで、このように、頻繁変化設定値は、アプリ記憶領域Ｍ４に書き込まれるのが望ましい。
【０１８９】
＜全体処理例＞
図２４は、第７実施形態における全体処理の例を示すシーケンス図である。第１実施形態と比較すると、第６実施形態は、初期化では、設定値が頻繁変化設定値があると判定される（［設定値が頻繁変化設定値の場合］）、アプリ記憶領域Ｍ４に設定値が書き込まれる（ステップＳ１０６）点が異なる。
【０１９０】
そして、読み出し（［読み出しの場合］）において、頻繁変化設定値（［設定値が頻繁変化設定値の場合］）は、アプリ記憶領域Ｍ４から読み出される（ステップＳ１１１）。一方で、頻繁変化設定値以外（［設定値が頻繁変化設定値以外の場合］）は、アプリ記憶領域Ｍ４から読み出される（ステップＳ１０９）。
【０１９１】
同様に、書き込み、すなわち、設定値を取得した場合（［書き込みの場合］）において、頻繁変化設定値（［設定値が頻繁変化設定値の場合］）は、取得されると、アプリ記憶領域Ｍ４に書き込まれる（ステップＳ１１８）。一方で、頻繁変化設定値以外（［設定値が頻繁変化設定値以外の場合］）は、共通記憶領域Ｍ１に書き込まれる（ステップＳ１１６）。
【０１９２】
頻繁変化設定値のように更新の頻度が高い設定値は、揮発性のメモリ又はＨＤＤ等のように、書き込み回数制限がない、又は、書き込み回数が多くできるハードウェアを利用して、書き込み、及び、読み込みが行われるのが望ましい。このような構成であると、画像形成装置は、ハードウェア寿命を延ばすことができる。
【０１９３】
＜変形例＞
なお、共通記憶領域Ｍ１において、「読み出し要求」及び「書き込み要求」には、記憶先が入力されてもよい。すなわち、「読み出し要求」及び「書き込み要求」には、記憶先のパス等が入力されてもよい。
【０１９４】
＜比較例＞
例えば、「パスワード」のような秘密にしたい情報も、下記（表９）に示すように、すべて共通記憶領域Ｍ１に記憶する比較例とする。
【０１９５】
【表９】
2020135247.tif 000011
上記（表９）のような保存であると、パスワード（情報は、平文で保存される。）は、様々なアプリケーションが「パスワード」を取得し、利用できてしまう。そのため、「パスワード」が情報漏洩する場合がある。
【０１９６】
＜その他の実施形態＞
なお、本発明に係る各処理の全部又は一部は、低水準言語又は高水準言語で記述され、コンピュータに情報処理方法を実行させるためのプログラムによって実現されてもよい。すなわち、プログラムは、画像形成装置又は画像形成システム等のコンピュータに各処理を実行させるためのコンピュータプログラムである。
【０１９７】
したがって、プログラムに基づいて情報処理方法が実行されると、コンピュータが有する演算装置及び制御装置は、各処理を実行するため、プログラムに基づいて演算及び制御を行う。また、コンピュータが有する記憶装置は、各処理を実行するため、プログラムに基づいて、処理に用いられるデータを記憶する。
【０１９８】
また、プログラムは、コンピュータが読み取り可能な記録媒体に記録されて頒布することができる。なお、記録媒体は、磁気テープ、フラッシュメモリ、光ディスク、光磁気ディスク又は磁気ディスク等のメディアである。さらに、プログラムは、電気通信回線を通じて頒布することができる。
【０１９９】
なお、本発明に係る実施形態は、画像形成システムによって実現されてもよい。また、画像形成システムは、各処理を冗長、分散、並列、仮想化又はこれらを組み合わせて実行してもよい。
【０２００】
以上、実施形態における一例について説明したが、本発明は、上記実施形態に限定されない。すなわち、本発明の範囲内で種々の変形及び改良が可能である。
【符号の説明】
【０２０１】
１００  画像形成装置
１１０  操作装置
１２０  本体部
２１４  フラッシュメモリ
２１５  操作パネル
２１８  バス
２２５  エンジン部
２２８  バス
２３０  通信路
２５０  ケーブル
２６０  ネットワーク
４１１  アプリケーション層
４１２  サービス層
４１３  ＯＳ層
４２１  アプリケーション層
４２２  サービス層
４２３  ＯＳ層
ＡＰ１  第１アプリケーション
ＡＰ２  第２アプリケーション
ＡＰ５  第５アプリケーション
ＡＰ６  第６アプリケーション
ＡＰ７  第７アプリケーション
ＡＰ８  第８アプリケーション
ＦＮ１  第１記憶部
ＦＮ２  設定部
ＦＮ３  判定部
ＦＮ４  第２記憶部
ＦＮ５  アプリケーション部
ＩＮＳ  アプリケーションインストーラ
Ｍ１  共通記憶領域
Ｍ２  任意記憶領域
Ｍ３  参照領域
Ｍ４  アプリ記憶領域
ＭＳ  設定モジュール
ＰＮ１  第１設定画面
ＰＮ２  第２設定画面
ＰＮ３  第３設定画面
ＰＮ４２  システム設定画面
ＰＮ４３  機器設定画面
ＰＮ６１  第７アプリケーション設定画面
ＳＰＲ  システムプログラム
ＵＲ  ユーザ
【先行技術文献】
【特許文献】
【０２０２】
【特許文献１】特開２０１７−１４４６４９号公報
【図１】
2020135247.tif 000012
【図２】
2020135247.tif 000013
【図３】
2020135247.tif 000014
【図４】
2020135247.tif 000015
【図５】
2020135247.tif 000016
【図６】
2020135247.tif 000017
【図７】
2020135247.tif 000018
【図８】
2020135247.tif 000019
【図９】
2020135247.tif 000020
【図１０】
2020135247.tif 000021
【図１１】
2020135247.tif 000022
【図１２】
2020135247.tif 000023
【図１３】
2020135247.tif 000024
【図１４】
2020135247.tif 000025
【図１５】
2020135247.tif 000026
【図１６】
2020135247.tif 000027
【図１７】
2020135247.tif 000028
【図１８】
2020135247.tif 000029
【図１９】
2020135247.tif 000030
【図２０】
2020135247.tif 000031
【図２１】
2020135247.tif 000032
【図２２】
2020135247.tif 000033
【図２３】
2020135247.tif 000034
【図２４】
2020135247.tif 000035